(57)【要約】  哺乳瓶の乳首とおしゃぶりとの組み合わせは、従来の飲料容器のプッシュプル弁付き飲み口に装着するように設計された装着部を含む。必要に応じて液体流路を閉鎖できるように、装着部は、独立して操作自在である独自の弁を更に含む。装着部の弁は、装着部の１つの部品を別の部品に関して回すことにより操作可能である回転弁であるのが好ましい。装着部の弁が閉鎖されているとき、装置はおしゃぶりとして有用である。あるいは、乳首は逆止弁を含んでもよく、逆止弁は、装着部に支持されたプローブを逆止弁に対して駆動するように装着部を操作することにより開放できる。
2008502436.tif 000002
【特許請求の範囲】
【請求項１】
開放位置と閉鎖位置との間で軸方向に往復動作可能な弁付き蓋体を有する液体容器に装着するための幼児ケア装置であって、
液体流路を有する乳頭状突起部と、
前記幼児ケア装置を前記弁付き蓋体に固定するための基部と、前記乳頭状突起部を保持するための構造と、を有する装着部と、を備え、
前記装着部は、前記弁付き蓋体から前記液体流路への液体の流通を調整するための手動操作可能な弁を含むことを特徴とする幼児ケア装置。
【請求項２】
前記装着部は、嵌合、螺合、又は挿嵌によって、前記弁付き蓋体と係合されることを特徴とする請求項１に記載の幼児ケア装置。
【請求項３】
前記弁は、液体の流通を阻止する閉鎖位置と、液体の流通を許容する開放位置と、の間で回転自在又は摺動自在である複数の要素を有することを特徴とする請求項１に記載の幼児ケア装置。
【請求項４】
前記装着部は、前記液体容器からの液体が流通可能な少なくとも１つの流路を有しており、
前記流路からの液体が流通可能な少なくとも１つの開口部を有するプレート部を備え、
前記プレート部は、前記開口部が前記流路に位置決めされて、液体の流通を許容する第１の位置と、前記開口部が前記流路に位置決めされず、液体の流通を阻止する第２の位置と、の間で、前記装着部に対して手動の回転が可能であることを特徴とする請求項１に記載の幼児ケア装置。
【請求項５】
更に、前記装着部には第１の指標、前記プレート部には第２の指標を備え、
前記第１及び第２の指標は、第１の配列が前記第１の位置及び前記流路に対応し、第２の配列が前記第２の位置に対応するように配置されることを特徴とする請求項４に記載の幼児ケア装置。
【請求項６】
前記装着部は、前記液体流路と連通する第１の流路を有する第１のスリーブと、前記弁付き蓋体と連通する第２の流路と、前記第１のスリーブによって摺動自在に受け入れられる第２のスリーブと、前記第２のスリーブに結合されたストッパと、を備え、
前記第１及び第２のスリーブは、前記ストッパが前記装着部内の液体の流通を阻止する閉鎖位置と、前記ストッパが前記装着部内の液体の流通を許容する開放位置と、の間で移動自在であることを特徴とする請求項１に記載の幼児ケア装置。
【請求項７】
前記幼児ケア装置と前記弁付き蓋体との間で液体を流通させるための延長部を備えたことを特徴とする請求項１に記載の幼児ケア装置。
【請求項８】
前記延長部は、前記弁付き蓋体に該延長部を固定するための延長部装着部と、前記延長部を通じた液体の流通を調整するための延長部蓋体と、前記延長部装着部と前記延長部蓋体との間で液体を流通させるための導管部と、を備えたことを特徴とする請求項７に記載の幼児ケア装置。
【請求項９】
前記延長部装着部は、嵌合、螺合、又は挿嵌によって、前記弁付き蓋体と係合されることを特徴とする請求項８に記載の幼児ケア装置。
【請求項１０】
前記延長部蓋体は、第１の延長部スリーブ流路を有する第１の延長部スリーブと、第２の延長部スリーブ流路と、前記第１の延長部スリーブにより摺動自在に支持される第２の延長部スリーブと、前記第２の延長部スリーブに操作可能に連結された延長部ストッパと、を備え、
前記第１及び第２の延長部スリーブが閉鎖位置を規定する場合には、前記延長部ストッパは液体の流通を阻止し、前記第１の延長部スリーブ及び前記第２の延長部スリーブが開放位置を規定する場合には、前記延長部ストッパは液体の流通を阻止しないことを特徴とする請求項８に記載の幼児ケア装置。
【請求項１１】
前記乳頭状突起部は、通常は前記容器から前記液体流路への液体の流通を閉塞するが、逆方向への液体の流通を可能にする逆止弁を備え、前記装着部は、分離位置に前記逆止弁と係合する先端部を有するプローブを備え、前記プローブは、前記分離位置において、前記容器から前記液体流路への液体の流通を許容するように前記逆止弁を開放することを特徴とする請求項１に記載の幼児ケア装置。
【請求項１２】
前記逆止弁は、１対の弾性フラップを有するダックビル状の弁であり、
前記弾性フラップは、通常は互いに対してシールするが、前記プローブが前記分離位置にある場合には、互いに対してシール不可となることを特徴とする請求項１１に記載の幼児ケア装置。
【請求項１３】
前記弾性フラップは、前記乳頭状突起部内に一体に成形されることを特徴とする請求項１２に記載の幼児ケア装置。
【請求項１４】
前記プローブは、管状であり、前記分離位置にある場合には、前記プローブの前記先端部が前記弾性フラップの端部に対してシールしないような貫通孔を有することを特徴とする請求項１１に記載の幼児ケア装置。
【発明の詳細な説明】
【技術分野】
【０００１】
本発明は、幼児ケア装置に関するものである。
【背景技術】
【０００２】
哺乳瓶は、通常、液状食物が入った細長い容器を備え、容器は、流路及び開口部を有する弾性乳首に結合され、幼児は、開口部を通して食物を吸い上げることができる。開口部は、液体が哺乳瓶から流出するのを制限する常時閉鎖位置へ偏向されている。幼児が乳首を吸うと、それにより発生する負圧は、容器から流路を通して液体を開口部の外へ押し出し、液体は幼児の口に入る。幼児に哺乳瓶から授乳するための容器及び乳首は数多く存在している。
【０００３】
授乳中又は授乳後、多くの幼児は、哺乳瓶の乳首又は従来のおしゃぶりなどの物品を吸うか又は噛むことにより、心を穏やかに保つ。そのようなおしゃぶり行動は、発育を促し且つ／又は眠りに落ちるのを助けると考えられる。幼児用のおしゃぶりも数多く存在している。
【発明の開示】
【発明が解決しようとする課題】
【０００４】
特に、幼児が授乳の終わりに向かって、眠りに落ちようとしているとき、幼児は、授乳行動とおしゃぶり行動とを交互に行う場合が多い。特にそのようなとき、親は、哺乳瓶の乳首などの幼児が吸っているもの又は噛んでいるものを取り出すことによって、幼児の心の平静を乱したくない。しかし、専用のおしゃぶりではなく従来の乳首を幼児に吸わせていると、幼児は、乳首の流路を通して空気を吸い込み、不快感を覚えるほどの量の空気を飲み込んでしまう。空気の吸い込みにより、幼児は不快になり、疝痛を引き起こす可能性もある。
【０００５】
幼児は、食物を要求すると共に、おしゃぶり行動を好み、栄養補給のための用具とおしゃぶりの用具には本質的に異なる要求と制限が加えられるため、授乳時には幼児が液体を吸い上げることができるが、おしゃぶりとして使用されるときには、幼児が液体を吸い上げるのを阻止するような組み合わせおしゃぶり／乳首が必要とされることは明らかである。
【０００６】
適切な幼児ケア用品を有することに加えて、保育者は、通常は同時に幼児を抱きかかえながら、用具を使用又は操作可能でなければならない。幼児を抱きかかえ、通常はオムツ入れなどの付属品を手に持ちながら、幼児に授乳すること、哺乳瓶を交換すること又はおしゃぶりを与えることは面倒であり、うまくいかない。従って、保育者が幼児を抱きかかえながら他の用事を自由にやりこなせるように、哺乳瓶の乳首とおしゃぶりの機能を１つに組み合わせることが必要である。
【０００７】
場合によっては、保育者は、ペットボトルの水などの市販の製品から容易に入手できる液体を幼児に与える。そのような液体の市販の容器は、多くの場合、取り外し自在のプッシュ式の蓋又は弁付き蓋構体を有する。残念ながら、幼児は、そのような蓋からこぼさず上手に飲むことができない。従って、弁付き蓋構体に装着可能であり、迅速に結合できる装着部を備えた組み合わせおしゃぶり／乳首が必要である。
【０００８】
本発明は、弁付き蓋構体を有する容器に装着するための、迅速に結合できる装着部を備えた単純な組み合わせおしゃぶり／乳首である。本発明は、容器の蓋に装着するように構成される一体に形成された乳首／おしゃぶり及びベースと、弁とを含む。弁は、幼児が乳首を通して液体を吸い上げることができるように開放され、幼児が空気を吸い込むことなく組み合わせおしゃぶり／乳首をおしゃぶりとして使用できるように閉鎖される。
【０００９】
本発明は、安全で、取り外し自在であり且つ交換可能な部品を含み、簡単におしゃぶりとして使用できると共に、水、牛乳、調合乳、母乳又は他の適切な飲料を小児に簡単に与えることができる迅速に結合できる装着部を有する組み合わせおしゃぶり／乳首を提供する。本発明によれば、時間を節約できること、使用が簡単であること、組み立て／解体が容易であること、哺乳瓶の交換を迅速に行えること、こぼすことが少ないこと、洗浄が容易になること及び安価になることに関して、より大きな利便性を提供する。
【課題を解決するための手段】
【００１０】
本発明の原理に従って構成された実施形態は、液体を吸い上げるための乳首流路を有する乳首を含む幼児ケア装置を提供する。装着部は、幼児ケア装置と容器との間の流れを調整するための蓋に幼児ケア装置を固着する。弁は、乳首流路と蓋との間の流れを調整する。
【００１１】
本発明の原理に従って構成された別の実施形態は、幼児ケア装置と容器との間の流れを調整するための蓋を含む幼児ケア装置を提供する。装着部は、幼児ケア装置を蓋に固着する。幼児ケア装置は、液体を吸い上げるための乳首流路を有する乳首を有する。弁は、乳首流路と蓋との間の流れを調整する。
【００１２】
本発明の原理に従って構成された別の実施形態は、容器と、幼児ケア装置と容器との間の流れを調整するための蓋とを含む幼児ケア装置を提供する。装着部は、幼児ケア装置を蓋に固着する。幼児ケア装置は、液体を吸い上げるための乳首流路を有する乳首を有する。弁は、乳首流路と蓋との間の流れを調整する。
【００１３】
本発明の原理に従って構成された実施形態は、一体型哺乳瓶弁付き蓋構体が上端部に装着されている典型的な哺乳瓶に迅速着脱スナップオン／スナップオフ装着部を介して取り外し自在に結合可能である組み合わせおしゃぶり／乳首構体を含む。一体型哺乳瓶弁付き蓋構体は、哺乳瓶の蓋の所定の場所に弁を含み、弁は、哺乳瓶からの液体又は空気の流れを可能にする開放位置と、流れを阻止する閉鎖位置との間で動作可能である。組み合わせおしゃぶり／乳首構体部分は、哺乳瓶の一体型弁付き蓋構体の上に乗せられ、中心位置を合わせて、スナップオン／スナップオフ装着部と係合するように押し付けることにより装着されてもよい。組み合わせおしゃぶり／乳首構体は、独自の内部漏れ防止弁を有し、この弁は、哺乳瓶の弁付き蓋構体とは互いに無関係に動作でき、組み合わせおしゃぶり／乳首構体が哺乳瓶の一体型弁付き蓋構体に装着されたときに開放状態又は閉鎖状態に設定できるように、一体型弁付き蓋構体と整列される。それら２つの弁は、互いに無関係に動作するので、迅速着脱スナップオン／スナップオフ装着部を介して、哺乳瓶の一体型弁付き蓋構体から組み合わせおしゃぶり／乳首構体を取り外すときには、ユーザは、一方又は双方の弁を手動操作により閉鎖し、液体又は空気が哺乳瓶から流れ出すのを防止すると共に、液体又は空気がおしゃぶりを通しておしゃぶり上の乳首の中へ流入するのを防止しなければならない。
【００１４】
本発明は、数多くの利点を提供する。本発明は、哺乳瓶の取り換え及び他の操作を片手で容易に行える交換自在の迅速着脱装着部を提供する。本発明は、おしゃぶりと哺乳用乳首を１つの構体に組み合わせた構成を提供する。哺乳用乳首とおしゃぶりとを組み合わせることにより、持ち運ぶ部品の数が減る。本発明は、安価で単純な内部漏れ防止弁を有する組み合わせおしゃぶり／乳首構体を提供する。本発明は、小児にとって窒息の危険を招きかねない係止リングなどの小さな外部着脱自在部品を必要としない。本発明は、低コストで製造可能であるので、使い捨て又は再利用が可能である。本発明は、洗浄しやすく、食器洗浄機で洗浄しても心配ない。本発明は、便利であり、使用が簡単であり、組み立て／解体が容易であり、哺乳瓶の交換をより早く行うことができ、中味がこぼれにくく、非常に手ごろな価格であるため、商業的価値が高い。
【００１５】
本発明は、一体型哺乳瓶弁付き蓋構体を装着された典型的な哺乳瓶と取り外し自在に結合可能な組み合わせおしゃぶり／乳首構体を提供し、組み合わせおしゃぶり／乳首構体の内部に含まれる内部漏れ防止弁は、液体又は空気の流れを選択的に可能にするか又は阻止する。閉鎖状態にあるとき、組み合わせおしゃぶり／乳首構体は密封され、幼児は、空気を飲み込むことなく、組み合わせおしゃぶり／乳首構体をおしゃぶりとして使用できる。  本発明は、安全且つ安価であり、わかりやすく、洗浄が容易であり、哺乳瓶とおしゃぶりとが別個である場合より面倒ではなく、保育者が幼児と共に、片手で用具を容易に使いこなすことを可能にする組み合わせおしゃぶり／乳首構体を提供する。
【発明の効果】
【００１６】
本発明は、この目的のために、本発明の目的を実現する上で安価で、信頼でき且つ有効である改良された要素及びその配列を提供する。
【発明を実施するための最良の形態】
【００１７】
本発明の他の特徴及び利点は、添付の図面を参照する以下の好適な実施形態の説明から明らかになるであろう。以下に、添付の図面を参照して本発明を詳細に説明する。図中、同様の図中符号は、一貫して対応する特徴を示す。
【００１８】
図１は、弁付き蓋構体３００を有する従来の哺乳瓶２００と関連して、本発明を具体化した幼児ケア装置１００を示す。哺乳瓶２００及び弁付き蓋構体３００は、硬質の破損／粉砕しにくいプラスチック材料から製造されるのが好ましい。哺乳瓶２００の上端部は、一般に先細の形状であり、その終端部は、開口部２１５を有する雄ねじ付き首部分２１０である。
【００１９】
図２を参照すると、弁付き蓋構体３００は、ベース３０５、口３１０及びキャップ３１５を含む。ベース３０５は、ねじ付き首部分２１０と螺合する雌ねじ３２０を有する。ベース３０５と哺乳瓶２００との間で、他の適切な装着手段が採用されてもよい。
【００２０】
口３１０は、ベース３０５から延出し、ベース３０５と一体であってもよい。口３１０は、哺乳瓶２００から液体を放出するための流路３２５を規定する。口３１０は、適切な材料から製造され、口３１０とキャップ３１５との間で流体シールを維持しつつ、キャップ３１５を口３１０に対して摺動させる外面３４５を規定する。
【００２１】
キャップ３１５は、口３１０を受け入れるための流路３５０を規定する。このキャップ３１５は、キャップ３１５と口３１０との間で流体シールを維持しつつ、口３１０に対してキャップ３１５を摺動させる内面３５５と、中央に配置され、流路３５０との間で選択的に液体を連通させる開口部３３０と、ベース３０５に対してキャップ３１５を動かすのを助けるリップ部分３３５とを有する。
【００２２】
流路３２５に、液体の流れを調整するストッパ３４０が配置される。キャップ３１５が口３１０に対して閉鎖位置をとるとき、ストッパ３４０は開口部３３０をふさぎ、液体の流れを阻止する。キャップ３１５が開放位置（図示せず）をとるためにベース３０５に対して引っ張られると、ストッパ３４０は開口部３３０から引き離され、液体の流れを可能にする。
【００２３】
幼児の口に入るか又は液体と連通する弁付き蓋構体３００の各部分の汚染を防止するために、弁付き蓋構体３００はカバー（図示せず）を有してもよい。
【００２４】
幼児ケア装置１００は、装着部１０５、シールド１１０及び乳首１１５を含む。装着部１０５は、取り付けが容易になるように、ゴム、シリコーンゴム又はそれに類似する柔軟且つ弾性を有するプラスチック材料から製造されるのが好ましい。装着部１０５は、弁付き蓋構体３００に取り外し自在に結合可能である。装着部１０５は、下部空洞を規定するベース１２０を有し、下部空洞は、キャップ３１５及びリップ部分３３５を受け入れ、キャップ３１５及びリップ部分３３５が完全に受け入れられたときに、それらの部分と摩擦係合し、その間に流体シールを維持するように構成される。装着部１０５は、キャップ３１５及び／又はリップ部分３３５との間に締り嵌めを形成するために半径方向内側へ延出する膨出部分１２５及び１３０を有してもよい。装着部は、キャップ３１５に装着されたとき、装着部１０５に必要な引っ張り力を加えることにより弁付き蓋構体３００が開放され、必要な押圧力を加えることにより弁付き蓋構体３００が閉鎖されるように構成されるのが好ましい。スナップ着脱、ねじり着脱及び部分回し差し込みを含めて、装着部１０５と弁付き蓋構体３００との間に異なる種類の装着手段が採用されてもよい。
【００２５】
乳首１１５は、ゴム、シリコーンゴム又はそれに類似する柔軟且つ弾性を有するプラスチック材料から製造されるのが好ましい。乳首は上部空洞１３５を規定し、液体を吸い出すことができる開口部１４０を有する。乳首は、幼児ケア装置１００に乳首を保持するフランジ１４５を有する。
【００２６】
シールド１１０は、幼児ケア装置１００の吸い込みを防止するように構成されるのが好ましい。シールド１１０は、乳首のフランジ１４５を密封状態で保持するボス１５０を有し、例えば、リベット１５５により装着部１０５に回転自在に結合される。
【００２７】
更に図３を参照すると、シールド１１０は複数の貫通孔１６０を有する。装着部１０５は、相補形の複数の貫通孔１６５を有する。貫通孔１６０が貫通孔１６５と整列され、流体連通を可能にする開放位置を規定するように、シールド１１０は、装着部１０５に対して回転されてもよい。あるいは、貫通孔１６０が貫通孔１６５と整列されず、流体連通を阻止する閉鎖位置を規定するように、シールド１１０が回転されてもよい。
【００２８】
動作中、弁付き蓋構体３００を有する哺乳瓶２００から幼児ケア装置１００を介して幼児に液体を供給するために、保育者は、キャップ３１５を哺乳瓶の上端部１０５に押し当てる。これにより、液密シールが形成される。次に、保育者は、装着部１０５に対してシールド１１０を開放位置まで回転させ、液体の流れを可能にする。最後に、保育者は、哺乳瓶２００に対して幼児ケア装置１００を弁付き蓋構体３００を開放するのに十分なほど引っ張る。そこで、幼児は、弁付き蓋構体３００及び幼児ケア装置１００を経て哺乳瓶２００から液体を吸い上げることができる。
【００２９】
哺乳瓶が空になるか又は幼児が飲み終わった場合、幼児ケア装置１００を弁付き蓋構体３００から分離し、おしゃぶりとして使用してもよい。保育者は、装着部１０５を哺乳瓶のキャップ３１５から分離し、次に、哺乳瓶に残っている中味を保存し且つ漏れを防止するために、キャップ３１５を押して閉鎖位置を規定する。次に、幼児ケア装置１００を通して空気が引き込まれ、吸い込まれるのを防止するために、保育者は、装着部１０５に対してシールド１１０を閉鎖位置まで回転させる。
【００３０】
図４を参照すると、本発明の別の実施形態は、同様に弁付き蓋構体（図示せず）を有する哺乳瓶（図示せず）と関連して使用できる幼児ケア装置４００を含む。幼児ケア装置４００は、装着部４０５、シールド４１０及び乳首１１５を含む。
【００３１】
装着部４０５は、装着部１０５と同様に構成されるのが好ましく、弁付き蓋構体３００に取り外し自在に結合可能である。装着部４０５は、下部空洞４２０を規定し、下部空洞は、キャップ３１５及びリップ部分３３５を受け入れ、キャップ３１５及びリップ部分３３５が完全に受け入れられたときに、それらの部分と摩擦係合し、その間に流体シールを維持するように構成される。装着部４０５は、キャップ３１５及び／又はリップ部分３３５との間に締り嵌めを形成するために半径方向内側へ延出する膨出部分４２５及び４３０を有してもよい。装着部４０５は、哺乳瓶のキャップ３１５に装着されたとき、装着部４０５に必要な力を加えることにより弁付き蓋構体が開閉されるように構成されるのが好ましい。スナップ着脱、ねじり着脱及び部分回し差し込み（これらに限定されない）を含めて、装着部４０５と弁付き蓋構体３００との間で、異なる種類の装着手段が採用されてもよい。
【００３２】
シールド４１０は、幼児ケア装置４００の吸い込みを防止するように構成されるのが好ましい。シールドは、乳首１１５のフランジ１４５を密封状態で保持するためのボス４５０を有する。幼児ケア装置４００を通る流れを調整するために、シールドは、弁付き蓋構体３００のキャップ３１５及び口３１０が結合されるのと同様の方法で装着部４０５に結合される。
【００３３】
装着部４０５は、装着部４０５から延出する内側スリーブ４５５を有する。内側スリーブ４５５は、哺乳瓶から液体を放出するための流路４６０を規定する。内側スリーブ４５５は、シールド４１０の外側スリーブ４７０と内側スリーブ４５５との間に流体シールを維持しつつ、外側スリーブ４７０を内側スリーブ４５５に対して摺動させる外面４６５を規定する。
【００３４】
外側スリーブ４７０は、内側スリーブ４５５を受け入れるための流路４７５を規定する。外側スリーブ４７０は、外側スリーブ４７０と内側スリーブとの間に流体シールを維持しつつ、外側スリーブ４７０を内側スリーブ４５５に対して摺動させる内面４８０を規定する。シールド４１０は、流路４７５との流体連通を選択的に成立させるために中央に配置された開口部４８５を有する。
【００３５】
液体の流れを調整するために、流路４６０にストッパ４４０が配置される。外側スリーブ４７０が内側スリーブ４５５に対して閉鎖位置をとるとき、ストッパ４４０は開口部４８５をふさぎ、液体の流れを阻止する。開放位置をとるために外側スリーブ４７０が内側スリーブ４５５に対して引っ張られると、ストッパ４４０は開口部４８５から引き離され、液体の流れを可能にする。
【００３６】
動作中、弁付き蓋構体３００を有する哺乳瓶２００から幼児ケア装置４００を介して幼児に液体を与えるために、キャップ３１５及び／又はリップ部分３３５が装着部４０５との間に流密シールを形成しつつ完全に受け入れられるように、保育者は、キャップ３１５及び／又はリップ部分３３５を下部空洞４２０の中へしっかりと押し込む。次に、開放位置を規定し、ストッパ４４０を開口部４８５から引き離すために、保育者は、外側スリーブ４７０を内側スリーブ４５５に対して引っ張る。最後に、弁付き蓋構体３００を開放するために、保育者は、幼児ケア装置４００を哺乳瓶２００に対して十分に引っ張る。そこで、幼児は、哺乳瓶２００から弁付き蓋構体３００及び幼児ケア装置４００を通って流れる液体を吸い込むことができる。
【００３７】
哺乳瓶２００が空になるか又は幼児が哺乳瓶２００の液体をそれ以上欲しがらない場合には、弁付き蓋構体３００から幼児ケア装置４００を分離し、おしゃぶりとして使用してもよい。キャップ３１５及び／又はリップ部分３３５が装着部４０５から解除されるように、保育者は、キャップ３１５及び／又はリップ部分３３５を下部空洞４２０からしっかりと引き離す。次に、哺乳瓶２００に残っている中味を保存し且つ漏れを防止するための閉鎖位置を規定するために、保育者は、キャップ３１５を弁付き蓋構体３００のベース３１０に押し込む。次に、ストッパ４４０が開口部４８５をふさぎ、流体、特に空気が幼児ケア装置４００を通して引き込まれ、吸い込まれるのを防止するように閉鎖位置を規定するために、保育者は、外側スリーブ４７０を内側スリーブ４５５の中へ押し込む。
【００３８】
図５に示されるように、本発明の別の実施形態は、弁付き蓋構体３００と幼児ケア装置１００又は４００との間で流体を連通させるための延長部分５００を含む。延長部分５００は、装着部５０５、導管５１０及び弁５１５を含む。装着部５０５は、先に説明した装着部１０５に類似している。
【００３９】
導管５１０は、ゴム、シリコーンゴム又はそれに類似する柔軟且つ弾性を有するプラスチック材料から製造され、装着部５０５と弁５１５との間で流体を連通させる。
【００４０】
弁５１５は、弁付き蓋構体３００と同様に動作する。弁５１５は、ベース５２０、口５２５及びキャップ５３０を含む。ベース５２０は導管５１０と接続し、導管５１０とキャップ５３０との間で流体を連通させる。
【００４１】
口５２５は、ベース５２０から延出し、ベース５２０と一体であってもよい。口５２５は、導管から液体を放出するための流路を規定する。口５２５は、キャップ５３０との間で流体シールを維持しつつ、口５２５に対してキャップ５３０を摺動させる外面５３５を規定する。
【００４２】
キャップ５３０は、口５２５を受け入れるための流路を規定する。このキャップは、口５２５との間で流体シールを維持しつつ、口５２５に対してキャップ５３０を摺動させる内面を規定する。キャップ５３０は、導管との流体連通を選択的に成立させるために中央に配置された開口部５４０を有する。キャップ５３０は、ベース５２０に対してキャップ５３０を動かすのを助けるためのリップ部分５４５を更に有する。
【００４３】
口５２５には、液体の流れを調整するためのストッパ（図示せず）が配置される。図示されるように、キャップ５３０が口５２５に対して閉鎖位置にあるとき、ストッパは開口部５４０をふさぎ、液体の流れを阻止する。キャップ５３０がベース５２０に対して開放位置まで引っ張られると、ストッパは開口部５４０から引き離され、液体の流れを可能にする。
【００４４】
弁５１５は、口５２５の中に入れられるか又は液体と接触する弁５１５の各部分の汚染を防止するためのカバー（図示せず）を有してもよい。
【００４５】
図６を参照すると、本発明の別の実施形態は、装着部６０５、シールド６１０及び乳首１１５を含む幼児ケア装置６００を含む。
【００４６】
装着部６０５は、装着部１０５と同様に構成され、弁付き蓋構体３００に取り外し自在に結合可能である。装着部１０５の場合と同様に、この装着部は下部空洞６２０を規定し、下部空洞６２０は、哺乳瓶のキャップ３１５及びリップ部分３３５を受け入れ、それらの部分が完全に受け入れられたとき、キャップ３１５及びリップ部分３３５と摩擦係合し、その間に流体シールを維持するように構成される。
【００４７】
シールド６１０は、幼児ケア装置６００の吸い込みを防止するように構成されるのが好ましい。シールド６１０は、フランジ１４５により乳首を密封状態で保持するためのボス（図示せず）を有する。シールド６１０は、先にシールド１１０及び装着部１０５に関して説明したのと同様に、装着部６０５に回転自在に結合される。
【００４８】
装着部６０５は、装着部６０５の開／閉状態を示す指標６３５を有する。指標６２５は、指標６３５と整列されたとき、流体の連通を可能にする開放位置を示す。シールド６１０は、指標６３０を更に有する。指標６３０は、指標６３５と整列されたとき、シールド６１０及び装着部６０５が閉鎖位置にあり、流体の連通が阻止されることを示す。
【００４９】
装置は、弁付き蓋構体と離れた位置にある哺乳瓶の中味との間で流体を連通させるためのステムピックアップ管を更に具備してもよい。ステムピックアップ管は、望ましくない粒子を除去するためのふるいを有するのが好ましい。
【００５０】
図７に示される実施形態は、通常は閉鎖されており、装置が容器から分離されたときに空気の吸い込みを阻止する一体型逆止弁を含むように乳首が変形されている点を除いて、図４の実施形態に類似している。逆止弁は、ダックビル型であるのが好ましく、乳首の内部の開放端部の付近で自由端部が互いに係合する１対の可撓性フラップ７９５を備える。フラップは、乳首のその他の部分と一体に成形されるのが好ましく、通常は互いに接触することにより、スリットを規定するように設計される。スリットは、機械的変形又は十分な負圧（すなわち、容器内部の圧力より大きな乳首内部の圧力）により開放可能である。
【００５１】
乳首を装着部４０５に押し付けることにより、弁を開放できる。プローブ７４０の先端部７９０がフラップの端部と係合し、その間のシールを破断すると、液体は乳首を通過することができる。プローブ７４０は、管状であるのが好ましく、図７に破線で表される貫通孔を有するので、先端部７９０自体は、フラップ７９５の端面との間でシールを形成しない。
【００５２】
弁フラップ及びプローブの厳密な寸法は、変更されてもよい。最適の数値は、実験に基づいて判定できる。また、プローブの先端部７９０との係合により開放可能な種類の弁であれば、別の種類の逆止弁を代わりに使用してもよい。
【００５３】
本発明の原理を種々の大きさ、形状及び材質の哺乳瓶及び乳首に適用できる限りにおいて、本発明は、添付の請求の範囲により評価されるべきである。
【図面の簡単な説明】
【００５４】
【図１】従来の哺乳瓶及び弁付き蓋構体と共に示される本発明を具体化した幼児ケア装置の展開斜視図である。
【図２】図１の幼児ケア装置及び弁付き蓋構体の部分断面の展開斜視図である。
【図３】図１の幼児ケア装置の底面図である。
【図４】本発明を具体化した幼児ケア装置の別の実施形態の部分断面の展開斜視図である。
【図５】オプションである延長部材の側面図である。
【図６】本発明の別の実施形態の底断面図である。
【図７】本発明の更に別の実施形態の部分断面の展開斜視図である。
【図１】
2008502436.tif 000003
【図２】
2008502436.tif 000004
【図３】
2008502436.tif 000005
【図４】
2008502436.tif 000006
【図５】
2008502436.tif 000007
【図６】
2008502436.tif 000008
【図７】
2008502436.tif 000009
【手続補正書】
【提出日】平成19年2月16日(2007.2.16)
【手続補正１】
【補正対象書類名】特許請求の範囲
【補正対象項目名】全文
【補正方法】変更
【補正の内容】
【特許請求の範囲】
【請求項１】
開放位置と閉鎖位置との間で軸方向に往復動作可能な弁付き蓋体を有する液体容器に装着するための幼児ケア装置であって、
液体流路を有する乳頭状突起部と、
前記幼児ケア装置を前記弁付き蓋体に固定するための基部と、前記乳頭状突起部を保持するための構造と、を有する装着部と、を備え、
前記装着部は、前記弁付き蓋体から前記液体流路への液体の流通を調整するための手動操作可能な弁を含み、前記乳頭状突起部は、通常は前記容器から前記液体流路への液体の流通を閉塞するが、逆方向への液体の流通を可能にする逆止弁を備え、前記装着部は、分離位置に前記逆止弁と係合する先端部を有するプローブを備え、前記プローブは、前記分離位置において、前記容器から前記液体流路への液体の流通を許容するように前記逆止弁を開放することを特徴とする幼児ケア装置。
【請求項２】
前記装着部は、嵌合、螺合、又は挿嵌によって、前記弁付き蓋体と係合されることを特徴とする請求項１に記載の幼児ケア装置。
【請求項３】
前記弁は、液体の流通を阻止する閉鎖位置と、液体の流通を許容する開放位置と、の間で回転自在又は摺動自在である複数の要素を有することを特徴とする請求項１に記載の幼児ケア装置。
【請求項４】
前記装着部は、前記液体容器からの液体が流通可能な少なくとも１つの流路を有しており、
前記流路からの液体が流通可能な少なくとも１つの開口部を有するプレート部を備え、
前記プレート部は、前記開口部が前記流路に位置決めされて、液体の流通を許容する第１の位置と、前記開口部が前記流路に位置決めされず、液体の流通を阻止する第２の位置と、の間で、前記装着部に対して手動の回転が可能であることを特徴とする請求項１に記載の幼児ケア装置。
【請求項５】
更に、前記装着部には第１の指標、前記プレート部には第２の指標を備え、
前記第１及び第２の指標は、第１の配列が前記第１の位置及び前記流路に対応し、第２の配列が前記第２の位置に対応するように配置されることを特徴とする請求項４に記載の幼児ケア装置。
【請求項６】
前記装着部は、前記液体流路と連通する第１の流路を有する第１のスリーブと、前記弁付き蓋体と連通する第２の流路と、前記第１のスリーブによって摺動自在に受け入れられる第２のスリーブと、前記第２のスリーブに結合されたストッパと、を備え、
前記第１及び第２のスリーブは、前記ストッパが前記装着部内の液体の流通を阻止する閉鎖位置と、前記ストッパが前記装着部内の液体の流通を許容する開放位置と、の間で移動自在であることを特徴とする請求項１に記載の幼児ケア装置。
【請求項７】
前記幼児ケア装置と前記弁付き蓋体との間で液体を流通させるための延長部を備えたことを特徴とする請求項１に記載の幼児ケア装置。
【請求項８】
前記延長部は、前記弁付き蓋体に該延長部を固定するための延長部装着部と、前記延長部を通じた液体の流通を調整するための延長部蓋体と、前記延長部装着部と前記延長部蓋体との間で液体を流通させるための導管部と、を備えたことを特徴とする請求項７に記載の幼児ケア装置。
【請求項９】
前記延長部装着部は、嵌合、螺合、又は挿嵌によって、前記弁付き蓋体と係合されることを特徴とする請求項８に記載の幼児ケア装置。
【請求項１０】
前記延長部蓋体は、第１の延長部スリーブ流路を有する第１の延長部スリーブと、第２の延長部スリーブ流路と、前記第１の延長部スリーブにより摺動自在に支持される第２の延長部スリーブと、前記第２の延長部スリーブに操作可能に連結された延長部ストッパと、を備え、
前記第１及び第２の延長部スリーブが閉鎖位置を規定する場合には、前記延長部ストッパは液体の流通を阻止し、前記第１の延長部スリーブ及び前記第２の延長部スリーブが開放位置を規定する場合には、前記延長部ストッパは液体の流通を阻止しないことを特徴とする請求項８に記載の幼児ケア装置。
【請求項１１】
前記逆止弁は、１対の弾性フラップを有するダックビル状の弁であり、
前記弾性フラップは、通常は互いに対してシールするが、前記プローブが前記分離位置にある場合には、互いに対してシール不可となることを特徴とする請求項１に記載の幼児ケア装置。
【請求項１２】
前記弾性フラップは、前記乳頭状突起部内に一体に成形されることを特徴とする請求項１１に記載の幼児ケア装置。
【請求項１３】
前記プローブは、管状であり、前記分離位置にある場合には、前記プローブの前記先端部が前記弾性フラップの端部に対してシールしないような貫通孔を有することを特徴とする請求項１に記載の幼児ケア装置。
【国際調査報告】
2008502436.tif 000010